【手続補正書】
【提出日】平成18年10月13日(2006.10.13)
【手続補正１】
【補正対象書類名】明細書
【補正対象項目名】特許請求の範囲
【補正方法】変更
【補正の内容】
【特許請求の範囲】
【請求項１】  セメントと、成分Ａ、任意に成分Ｂ、および成分Ｃの反応生成物を含む分散剤とを含むセメント処方物であって；
各成分Ａが独立して、セメント粒子に吸着することのできる非ポリマー機能部分であり、且つホスフェート、ホスホネート、ホスフィネート、ヒポホスファイト、スルフェート、スルホネート、スルフィネート、アルキルトリアルコキシシラン、アルキルトリアシルオキシシラン、アルキルトリアリールオキシシラン、ボレート、ボロネート、ボロキシン、ホスホルアミド、アミン、アミド、４級アンモニウム基、カルボン酸、カルボン酸エステル、アルコール、炭水化物、糖のリン酸エステル、糖のホウ酸エステル、糖の硫酸エステル、前記部分のいずれかの塩、およびそれらの混合物からなるグループから選択される第１成分から誘導される少なくとも１つの残基を含み；
成分Ｂは任意の部分であり、存在する場合には、各成分Ｂは独立して、成分Ａ部分と成分Ｃ部分の間に配置される非ポリマー部分であり、且つ直鎖飽和炭化水素、直鎖不飽和炭化水素、飽和分枝炭化水素、不飽和分枝炭化水素、脂環式炭化水素、アリール、リン酸エステル、窒素含有化合物、およびそれらの混合物からなるグループから選択される第２成分から誘導され；および
成分Ｃは、セメント粒子に実質的に吸着しない直鎖状又は分枝状の水溶性の非イオン性ポリマーである少なくとも１つの部分であり、且つポリ（オキシアルキレングリコール）、ポリ（オキシアルキレンアミン）、ポリ（オキシアルキレンジアミン）、モノアルコキシポリ（オキシアルキレンアミン）、モノアリールオキシポリ（オキシアルキレンアミン）、モノアルコキシポリ（オキシアルキレングリコール）、  モノアリールオキシポリ（オキシアルキレングリコール）、ポリ（ビニルピロリドン）、ポリ（メチルビニルエーテル）、ポリ（エチレンイミン）、ポリ（アクリルアミド）、ポリオキサゾールおよびそれらの混合物からなるグループから選択され；
もしＡ部分が、ホスフェート、ホスホネート、ホスフィネート又はヒポホスファイトの残基を含んでいれば、分散剤はさらに、以下の少なくとも１つによって特徴付けられ、即ち
Ａ）分散剤は、
（ｉ）Ａx−Ｃ、（ｉｉ） Ａx−Ｃ−Ａx、（ｉｉｉ）Ｃ−Ａx−Ｃ 、
（ｉｖ）（Ｃ）z−Ｂ−Ａx−Ｂ−（Ｃ）z 、
（ｖ）（ Ａx ）y −Ｂ−Ｃ−Ｂ−（ Ａx ）y 、およびそれらの混合物からなるグループから選択される構造を有し；
Ｂ）いかなるＡ部分についても、ホスフェート、ホスホネート、ホスフィネート又はヒポホスファイト、又はそれらの塩からなるグループから選択される１以上の残基があって；
Ｃ）分散剤が、Ｂ部分およびＡ部分がアルキリデンアミン結合で互いに結合していないとして、 （ Ａx ）y −Ｂ−（Ｃ）z の構造を有し；
Ｄ）Ｃ部分は、ポリ（オキシアルキレンアミン）、ポリ（オキシアルキレンジアミン）、モノアルコキシポリ（オキシアルキレンアミン）、モノアリールオキシポリ（オキシアルキレンアミン）、ポリ（ビニルピロリドン）、ポリ（メチルビニルエーテル）、ポリ（エチレンイミン）、ポリ（アクリルアミド）、ポリオキサゾール、およびそれらの混合物からなるグループから選択される；
式中、ｘは１から３の整数であり且つ独立したＡ部分の数を表わし、ｙは１から３の整数であり且つＡ部分の独立した鎖の数を表わし、およびｚは１から３の整数であり且つ独立したＣ部分の数を表わす、
である前記処方物。
【請求項２】  分散剤が、
（ｉ）Ａx−Ｃ、（ｉｉ） Ａx−Ｃ−Ａx、（ｉｉｉ）Ｃ−Ａx−Ｃ、
（ｉｖ）（ Ａx ）y−Ｂ−（Ｃ）z （ｖ）（Ｃ）z−Ｂ−Ａx−Ｂ−（Ｃ）z
（ｖｉ）（ Ａx ）y−Ｂ−Ｃ−Ｂ−（ Ａx ）y 、およびそれらの混合物からなるグループから選択される構造を有し、式中、ｘは１から３の整数であり且つ独立したＡ部分の数を表わし、ｙは１から３の整数であり且つＡ部分の数を表わし、およびｚは１から３の整数であり且つ独立したＣ部分の数を表わす、請求項１に記載のセメント処方物。
【請求項３】  セメントを含むセメント処方物を水中に分散する方法であって、該セメント処方物中に請求項１に記載のセメント分散剤を供給し、且つ該セメント処方物を混合することを含む前記方法。
【請求項４】  成分Ａ、任意に成分Ｂ、および成分Ｃの反応生成物を含む分子であって；
各成分Ａが、独立してセメント粒子に吸着する非ポリマー機能部分であり、且つホスフェート、ホスホネート、ホスフィネート、ヒポホスファイト、スルフェート、スルホネート、スルフィネート、アルキルトリアルコキシシラン、アルキルトリアシルオキシシラン、アルキルトリアリールオキシシラン、ボレート、ボロネート、ボロキシン、ホスホルアミド、アミン、アミド、４級アンモニウム基、カルボン酸、カルボン酸エステル、アルコール、炭水化物、糖のリン酸エステル、糖のホウ酸エステル、糖の硫酸エステル、前記部分のいずれかの塩、およびそれらの混合物からなるグループから選択される第１成分から誘導される少なくとも１つの残基を含み；
成分Ｂは任意の部分であり、存在する場合には、各成分Ｂは独立して、成分Ａ部分と成分Ｃ部分の間に配置される非ポリマー部分であり、且つ直鎖飽和炭化水素、直鎖不飽和炭化水素、飽和分枝炭化水素、不飽和分枝炭化水素、アリール、リン酸エステル、窒素含有化合物、およびそれらの混合物からなるグループから選択される第２成分から誘導され；および
成分Ｃ は、セメント粒子に実質的に吸着しない直鎖又は分枝の水溶性の非イオン性ポリマーである少なくとも１つの部分であり、且つポリ（オキシアルキレングリコール）、ポリ（オキシアルキレンアミン）、ポリ（オキシアルキレンジアミン）、モノアルコキシポリ（オキシアルキレンアミン）、モノアリールオキシポリ（オキシアルキレンアミン）、モノアルコキシポリ（オキシアルキレングリコール）、  モノアリールオキシポリ（オキシアルキレングリコール）、ポリ（ビニルピロリドン）、ポリ（メチルビニルエーテル）、ポリ（エチレンイミン）、ポリ（アクリルアミド）、ポリオキサゾールおよびそれらの混合物からなるグループから選択され；
もしＡ成分が、ホスフェート、ホスホネート、ホスフィネート又はヒポホスファイトの残基を含んでいれば、分子はさらに、以下の少なくとも１つによって特徴付けられ、即ち
Ａ）分子は、
（ｉ）Ａx−Ｃ、（ｉｉ） Ａx−Ｃ−Ａx、（ｉｉｉ）Ｃ−Ａx−Ｃ
（ｉｖ）（Ｃ）z−Ｂ−Ａx−Ｂ−（Ｃ）z、
（ｖ）（ Ａx ）y−Ｂ−Ｃ−Ｂ−（ Ａx ）y、 およびそれらの混合物からなるグループから選択される構造を有し；
Ｂ）いかなるＡ部分についても、ホスフェート、ホスホネート、ホスフィネート又はヒポホスファイト、又はそれらの塩からなるグループから選択される１以上の残基があって；
Ｃ）分子が、Ｂ部分およびＡ部分がアルキリデンアミン結合で互いに結合していないとして、 （ Ａx ）y −Ｂ−（Ｃ）z の構造を有し；
Ｄ）Ｃ部分は、ポリ（オキシアルキレンアミン）、ポリ（オキシアルキレンジアミン）、モノアルコキシポリ（オキシアルキレンアミン）、モノアリールオキシポリ（オキシアルキレンアミン）、ポリ（ビニルピロリドン）、ポリ（メチルビニルエーテル）、ポリ（エチレンイミン）、ポリ（アクリルアミド）、ポリオキサゾール、およびそれらの混合物からなるグループから選択される；
式中、ｘは１から３の整数であり且つ独立したＡ部分の数を表わし、ｙは１から３の整数であり且つＡ部分の独立した鎖の数を表わし、およびｚは１から３の整数であり且つ独立したＣ部分の数を表わす、
である前記分子。